(57)【要約】【課題】  筐体を大きくすることなく内部に熱がこもらないようにする。【解決手段】  電子回路ユニット３１と電源ユニット３２が取り付けられているシャーシ３０と、本体部２との間には所定間隔の通路が形成されている。すると、シャーシ３０が発熱して空気が暖められるとその空気が上昇して上側に形成されている第３通風口２０から排気されるようになる。また、通路には底面通風口１６から吸気される。これにより、筐体を大きくすることなく内部の熱を放熱することができるようになる。【選択図】  図２
2005191210.tif 000002
【特許請求の範囲】
【請求項１】
電気信号を増幅して出力する増幅部を少なくとも有する電子回路ユニットと、
該電子回路ユニットに電源を供給する電源ユニットと、
前記電子回路ユニットと前記電源ユニットが取り付けられているシャーシと、
該シャーシを収納する本体部と、該本体部に対して開閉自在に固着される蓋部とからなる防雨構造の筐体とを備え、
前記筐体が設置された際に前記本体部の下側に位置する第１側面部に通風口が設けられていると共に、収納された前記シャーシと前記本体部の底面部とが所定間隔をもって対面することにより通路が形成されており、前記通風口から進入した空気が前記通路を通過しながら前記シャーシを冷却し、前記筐体における上側に位置する前記本体部と前記蓋部との間の間隙により形成されている上側の通風口から排出されるようにしたことを特徴とする電子機器。
【請求項２】
前記底面部の内側に前記本体部の長辺に略平行に前記シャーシの裏面が当接する一対の立設片が形成されており、該一対の立設片で囲まれる範囲に複数の放熱孔が形成されていることを特徴とする請求項１記載の電子機器。
【請求項３】
前記電子回路ユニットは、光ケーブルにより伝達された光信号を電気信号に変換する光受信部を備えており、前記シャーシに取り付けられている前記電子回路ユニットと前記電源ユニットの上に配置されて前記筐体内に収納されるトレイ部に、前記光ケーブルを前記筐体内に導入する導入部と、導入された前記光ケーブルの余長を収納する余長収納部とが形成されていることを特徴とする請求項１記載の電子機器。
【請求項４】
前記余長収納部に収納されている光ケーブルの先端に設けられた光コネクタを、前記電子回路ユニットにおける前記光受信部のコネクタ受部に着脱可能に接続できるようにされていることを特徴とする請求項３記載の電子機器。
【発明の詳細な説明】
【技術分野】
【０００１】
本発明は、筐体内に電子回路部および電源部を内蔵する電子機器に関するものである。
【背景技術】
【０００２】
近年、高速高帯域通信サービスの普及に伴い、家庭と送信局との間を光ケーブルで接続する通信サービス、例えば、光ケーブルテレビジョン（ＣＡＴＶ）が実施されている。この通信サービスの実現には、光ケーブルからの光信号を光−電気信号変換して増幅し、増幅された周波数多重信号をセットトップボックスや同軸のＣＡＴＶ線路に供給するための電子機器が必要となる。この電子機器の筐体内には、導入される光ケーブルの余長を収納する余長収納部と、導入された光ケーブルからの光信号を電気信号に変換し、増幅して出力する光受信部が設けられている。そして、この光受信部に電源を供給する電源部が電子機器の筐体に内蔵されている。
【発明の開示】
【発明が解決しようとする課題】
【０００３】
このような電子機器は、光ケーブルが屋外に敷設されることから屋外に設置されるようになり、防雨構造の筐体とされていた。ところで、電子機器の筐体に内蔵される光受信部等の電子回路は動作する際に発熱すると共に、電子回路に電源を供給する電源も発熱する。この場合、電子機器の筐体を防雨構造とすると、一般に密閉構造となることから筐体内に熱がこもるようになり発熱により電子回路の動作に悪影響を与えるという問題点があった。これを防止するには大きな放熱版を設けたり筐体を大きくすればよいが、必要以上に筐体が大きくなってしまうという問題が生じるようになる。
【０００４】
そこで、本発明は、筐体を大きくすることなく内部に熱がこもらないようにした電子機器を提供することを目的としている。
【課題を解決するための手段】
【０００５】
上記目的を達成するために、本発明の電子機器は、本体部と蓋部とからなる筐体における本体部の下側に位置する第１側面部に通風口が設けられており、電子回路ユニットと電源ユニットが取り付けられているシャーシと本体部の底面部との間の通路を、通風口から進入した空気が通過しながらシャーシを冷却するようにしたことを最も主要な特徴としている。
【発明の効果】
【０００６】
本発明によれば、本体部と蓋部とからなる筐体における本体部の下側に位置する第１側面部に通風口が設けられており、電子回路ユニットと電源ユニットが取り付けられているシャーシと本体部の底面部との間の通路を、通風口から進入した空気が通過しながらシャーシを冷却するようにしたので、筐体を大きくすることなく内部の熱を排気することができる。この場合、本体部の下側に位置する第１側面部に通風口が設けられて、通風口からの空気はシャーシを冷却することにより暖められて上昇するようになるため、大きな冷却効果を奏するようになる。また、空気を給排気する構造としても通風口が下側に位置する第１側面部に形成されていると共に、筐体における上側に位置する本体部と蓋部との間の間隙により形成されている上側の通風口から排気しているため防雨構造を維持することができる。
【発明を実施するための最良の形態】
【０００７】
筐体を大きくすることなく内部に熱がこもらないようにするという目的を、本体部と蓋部とからなる筐体における本体部の下側に位置する第１側面部に通風口が設けられており、電子回路ユニットと電源ユニットが取り付けられているシャーシと本体部の底面部との間の通路を、通風口から進入した空気が通過しながらシャーシを冷却することにより実現した。
【０００８】
本発明にかかる電子機器の実施例の構成を示す斜視図を図１に、その電子機器の構成を示す側面図を断面図で図２に示す。
これらの図に示す本発明にかかる電子機器１の筐体は、箱状の本体部２と、本体部２に対して開閉自在に固着される蓋部３とから構成されている。筐体である本体部２および蓋部３は樹脂を成形することにより作成されており、蓋部３の上部に一対形成されている保持片２１が本体部２に形成されている後述する枢軸に回動可能に枢支されて、蓋部３が本体部２に対して開閉自在に固着されている。蓋部３を本体部２に対して閉じた際には、蓋部３から複数本のネジを本体部２に螺着して防雨構造の筐体が構成される。この場合、蓋部３における対向する側面部の下縁が本体部２の対向する側面部の縁部に嵌入されるようになる。本体部２には、図２に示すように電子回路ユニット３１と、電子回路ユニット３１に電源を供給する電源ユニット３２が内蔵されている。電子回路ユニット３１および電源ユニット３２は金属製のシャーシ３０に取り付けられて、本体部２内に収納されている。シャーシ３０の裏面と本体部２とは図２に示すように全面にわたり所定の間隔を保って対面するように配置されて通路が形成されている。
【０００９】
本体部２内に内蔵されている電子回路ユニット３１と電源ユニット３２の上には樹脂成形されたトレイ部６が配置されている。このトレイ部６は電子機器１に導入された光ケーブル４ａおよび光ケーブル４ｂの導入部および余長収納部が形成されている。光ケーブルの余長を収納する余長収納部を設けるのは次の理由による。光ケーブル長に余裕を持たせる余長部を設けることによって、光ケーブルを長く延ばすような接続変更等にそのまま対応することができる。また、光ケーブルの接続作業で低損失接続が得られなかった場合に、光ケーブルの接続端を切断してやり直しすることができる。さらに、保守作業等で光ケーブルを傷めた場合でも損傷部分までを切断して再接続を可能とすることができる。なお、光ケーブルは、曲げすぎると伝送特性が劣化し極端な場合には破断されるため、光ケーブルの余長は、所定の曲げ半径を保つようにして余長収納部に収納されている。光ケーブルにはメッセンジャワイヤーや複数本の光ファイバーを束ねた太い光ケーブル４ａと、単線の光ファイバーからなる細い光ケーブル４ｂとがあり、本発明にかかる電子機器１には両種類の光ケーブルを導入することができるようにされている。
【００１０】
本発明にかかる電子機器１は、図２に示すように直立して設置するようにされている。この場合、本体部２の上部に底面部から取付片１５ａが上方へ延伸して形成されており、本体部２の下部に底面部から一対の取付片１５ｂ、１５ｃが下方へ延伸して形成されている。そこで、電子機器１を直立させて取付面に対向して配置し、これらの取付片１５ａ、１５ｂ、１５ｃにネジを挿通して取付面に螺着することにより取付面に電子機器１を設置する。これらの取付片１５ａ、１５ｂ、１５ｃは、底面部よりさらに奥側に突出して形成されているため、設置された電子機器１の底面部と取付面との間に所定の間隔が生じるようになる。このように直立して設置された電子機器１における本体部２において下側に位置する側面部の前側に複数の第１通風口１１が形成されており、奥側に複数の第２通風口１２が形成されている。また、この側面部には電子回路ユニット３１に一体に設けられている２つの同軸端子１４が突出する同軸端子孔が形成されていると共に、光ケーブルを導入する２つのケーブル導入孔１３ａ、１３ｂが左側と右側に形成されている。また、本体部２において上側に位置する側面部には蓋部３が重合するように配置されており、両者の間に形成された間隙により通風口２０が形成されている。さらに、本体部２における底面部の下部には図２に示すように複数の底面通風口１６が形成されている。さらにまた、下側に位置する側面部には電源ユニット３２に商用交流を供給するための導入孔が形成されて、この導入孔から電源ケーブル５が導入されている。
【００１１】
このような構成の電子機器１において、電源ユニット３２から電源が供給されて動作している電子回路ユニット３１は、動作に伴い発熱すると共に電源ユニット３２も発熱するようになる。すると、シャーシ３０が発熱するようになりシャーシにより暖められた空気は上昇して上部に位置する通風口２０から排気されるようになる。この破線で示す経路ａにより、第２通風口１２および底面通風口１６から筐体内部に空気が吸気されるようになり、吸気された空気はシャーシ３０の裏面と本体部２における底面部とで形成された通路に進入してシャーシ３０の熱を奪って放熱を助けるようになる。また、第１通風口１１から筐体内に破線で示す経路ｂで進入した空気はトレイ部６と蓋部３との間の間隙を通り、経路ａからの空気と共に第３通風口２０から排出されるようになる。このような、経路ａおよび経路ｂによる吸排気により筐体内の熱を排気することができ、発熱が電子回路ユニット３１に悪影響を与えることを防止することができるようになる。
【００１２】
ここで、本体部２における底面部の上部を一部切り欠いた際の本発明にかかる電子機器１の構成を示す斜視図を図３に示す。
この図に示すように、底面部２ｅの内側には一対の立設片１８が本体部２の長辺に略平行に上側の側面部から下側の側面部に渡り形成されている。一対の立設片１８は、それぞれ両側板部の近傍に形成されており、一対の立設片１８の間には多数の放熱孔１７が底面部２ｅに形成されている。一対の立設片１８にはシャーシ３０の裏面が当接されるか、あるいは若干の間隔を持って対面して、底面部２ｅとシャーシ３０との間に通路が形成されるようになる。この場合、電子機器１が屋外に設置されることから放熱孔１７から雨水が内部に浸入しても一対の立設片１８とシャーシ３０とによりそれ以上の浸入を防止することができる。さらに、底面部２ｅの下部には３つの細長い底面通風口１６が形成されている。さらにまた、電子機器１を設置した取付面と底面部２ｅとは底面部２ｅの下部から突出するように形成されている取付片１５ｂ、１５ｃの高さ分だけ離隔されるため、底面通風口１６および放熱孔１７から十分な空気を取り入れることができる。
【００１３】
次に、本体部２に対して蓋部３を開けた状態の電子機器１の構成を示す斜視図を図４に示す。ただし、この図では導入される光ケーブルを省略して示している。
本体部２に対して蓋部３を開けると、本体部２に収納されているトレイ部６が見える状態となる。蓋部３の両側の側面部の下部には横方向に張り出す当接部が形成されており、その下の下縁は若干薄く形成されている。この下縁が、蓋部３を閉じた際に本体部２の側面部の上部に嵌入されて防雨構造とされる。なお、蓋部３を閉じた際には、上記当接部が本体部２の側面部の上端に当接する。本体部２における下側に位置する側面部には複数の第１通風口１１が形成されており、電子回路ユニット３１から突出している同軸端子１４が、この側面部から突出している。トレイ部６には、図示するように左側と右側にそれぞれケーブル導入孔１３ａ、１３ｂから導入された光ケーブルを固着するケーブル挟着部４０が形成されている。このケーブル挟着部４０は鋸歯状の突起が相対向して２組形成されており、この間にメッセンジャワイヤーや複数本の光ファイバーを束ねた太い光ケーブル４ａを挟み込むことにより光ケーブル４ａを固着することができる。また、細い光ケーブル４ｂは２組形成されているケーブル挟着部４０の間にケーブル挟着具に挟まれた状態で挟持されることにより固着される。
【００１４】
また、トレイ部６にはドラム部４１とドラム部４２の２つの楕円形状のドラム部が形成されていると共に、円弧状に形成されている複数のガイド部４３とガイド部４４が形成されている。これらのドラム部４１，４２とガイド部４３，４４により余長収納部が形成されている。すなわち、ケーブル導入孔１３ａ、１３ｂから導入された光ケーブル４ａ、４ｂの余長は、ドラム部４１，４２とガイド部４３，４４に巻き付けられたり沿わせられたりして所定の曲げ半径を保つようにして余長収納部に収納される。この場合、ドラム部４１，４２とガイド部４３，４４から光ケーブル４ａ、４ｂがはずれないように、ドラム部４１，４２とガイド部４３，４４の所定部位にひさし状に張り出す押さえ片が複数形成されている。光ケーブル４ａ、４ｂの余長をドラム部４１，４２とガイド部４３，４４に巻き付ける際に８の字状に巻き付けるようにして、ケーブル導入孔１３ａ、１３ｂから導入した光ケーブル４ａ、４ｂをケーブル導入孔１３ａ、１３ｂから導出して光受信機能を備える他の電子機器に導入することもできる。さらに、トレイ部６には光ケーブル４ａ、４ｂにおける光ファイバーに装着された装着器を保持する保持部４６が形成されている。さらにまた、光ケーブル４ａ、４ｂの先端に装着されている光コネクタを差し込むコネクタ受部４８が見えているが、このコネクタ受部４８は電子回路ユニット３１に取り付けられている。
【００１５】
次に、本体部２から蓋部３を取り外すと共にトレイ部６を取り去った状態の電子機器１の構成を示す斜視図を図５に示す。
図５に示すように、本体部２における下側に位置する側面部には複数の第１通風口１１とケーブル導入孔１３ａ、１３ｂが形成されており、電子回路ユニット３１から突出している同軸端子１４が、この側面部から突出している。本体部２における上側に位置する側面部の両側には断面略円形の一対の枢軸１９が突出するよう形成されており、この枢軸１９に蓋部３の上部両側に形成されている保持片２１が嵌着されて枢支されることにより、枢軸１９を回転軸として蓋部３を本体部２に対して開閉することができるようになる。本体部２からトレイ部６を取り去ると、シャーシ３０に取り付けられて収納されている電子回路ユニット３１と電源ユニット３２とが見えるようになる。電子回路ユニット３１には、内部の光受信部に光信号を導くためのコネクタ受部４８が取り付けられており、このコネクタ受部４８に導入された光ケーブルの先端に装着される光コネクタが差し込まれるようになる。電源ユニット３２の上部は両側がカットされて、シャーシ３０と底面部２ｅとで形成される通路を第３通風口２０に通じさせている。
【００１６】
次に、トレイ部６にケーブル導入孔１３ａ、１３ｂから導入された光ケーブル４ａ、４ｂの余長を収納する構成について図６を参照しながら説明する。図６は、光ケーブル４ａ、４ｂの余長を収納する余長収納部が形成されているトレイ部６の構成を示す平面図である。
トレイ部６にはドラム部４１とドラム部４２の２つの楕円形状のドラム部と、円弧状に形成されている複数のガイド部４３とガイド部４４とからなる余長収納部が形成されている。ケーブル導入孔１３ａから導入された光ケーブル４ａ、４ｂはケーブル挟着部４０で挟持されて固着され保持部４６を介してガイド部４３に沿って曲げられ、次いで余長収納部における最外側のガイド部に沿って曲げられて所定回数だけ余長収納部に巻回される。そして、光ケーブルにおける融着部やフィルタの保護スリーブやメカニカルスプライス等の装着器４７が保持部４６に挟着されて保持される。光ケーブルの先端には光コネクタ４５が装着されており、この光コネクタ４５が電子回路ユニット３１におけるコネクタ受部４８に差し込まれて装着される。これにより、導入された光ケーブル４ａを伝播してきた光信号が電子回路ユニット３１で受光されるようになる。電子回路ユニット３１では、受光した光信号を電気信号に変換して所定レベルになるよう増幅し、同軸端子１４から出力する。このようにして、電子機器１に導入された光ケーブルの余長は内蔵されるトレイ部６に形成されている余長収納部に収納されるようになる。
【００１７】
次に、電子機器１の本体部２の詳細構成を示す斜視図を図７に示す。
図７に示すように、本体部２は箱状の形状とされており、設置された際に下側に位置する第１側面部２ａと、向かって右側に位置する第２側面部２ｂと、設置された際に上側に位置する第３側面部２ｃと、向かって左側に位置する第４側面部２ｄと、底面部２ｅとを備えている。第１側面部２ａには、同軸端子１４を導出するための同軸端子孔１４ａが予備も含めて３つ形成されており、その先端部には複数の第１通風口１１と２つのケーブル導入孔１３ａ、１３ｂとが形成されている。また、図示されていないが第１側面部２ａの底面部２ｅとの境界部に複数の第２通風口１２が形成されている。第２側面部２ｂと第４側面部２ｄとは面対称のほぼ同様の形状とされており、蓋部３の縁部が嵌入される構造とされている。第３側面部２ｃには、両側に一対の枢軸１９が突出するよう形成されている。これらの第１側面部２ａないし第４側面部２ｄの内側にはシャーシ３０の周縁を受けるリブが形成されている。
【００１８】
底面部２ｅには第１側面部２ａとの境界部に３つの底面通風口１６が形成されている。また、底面部２ｅには内側に向かって第２側面部２ｂおよび第４側面部２ｄに略平行な一対の立設片１８が形成されており、立設片１８の間に多数の放熱孔１７が形成されている。この放熱孔１７により外気が侵入してシャーシ３０を冷却し、上側の第３通風口２０などから排気されるようになる。一対の立設片１８にはシャーシ３０の裏面が当接されて、シャーシ３０の裏面と底面部２ｅの内面とで底面通風口１６に通じる放熱用の通路が形成される。なお、一対の立設片１８は放熱孔１７から雨水が浸入した場合にそれ以上内部に浸入させない機能を奏する。
【００１９】
次に、電子機器１の本体部２の他の詳細構成を示す斜視図を図８に示す。
図８に示す構成の本体部２’は、図７に示す構成の本体部２と底面部の構成のみが異なることから、本体部２’における底面部２ｅ’の構成について説明する。底面部２ｅ’には第１側面部２ａとの境界部に３つの底面通風口１６が形成されている。また、底面部２ｅ’には内側に向かって第２側面部２ｂおよび第４側面部２ｄに略平行な一対の立設片１８が形成されており、立設片１８の間に多数の放熱孔１７が形成されている。さらに、一方の立設片１８と第２側面部２ｂとの間、および、他方の立設片１８と第４側面部２ｄとの間の底面部２ｅ’にも複数の放熱孔１７ａが形成されている。この放熱孔１７および放熱孔１７ａにより外気が侵入してシャーシ３０を冷却し、上側の第３通風口２０などから排気されるようになる。放熱孔１７ａが増設されているため、その冷却効果がより向上するようになる。
【産業上の利用可能性】
【００２０】
以上の説明では、電子機器は光受信部を備えるものとしたが、本発明はこれに限るものではなく電気信号の増幅等を行う電子回路ユニットを備え、屋外に設置される電子機器に適用することができる。
【図面の簡単な説明】
【００２１】
【図１】本発明にかかる電子機器の実施例の構成を示す斜視図である。
【図２】本発明にかかる電子機器の実施例の構成を断面図で示す側面図ある。
【図３】本発明にかかる電子機器の本体部における底面部の上部を一部切り欠いた際の構成を示す斜視図である。
【図４】本発明にかかる電子機器において本体部に対して蓋部を開けた状態の構成を示す斜視図である。
【図５】本発明にかかる電子機器において本体部から蓋部を取り外すと共にトレイ部を取り去った状態の構成を示す斜視図である。
【図６】本発明にかかる電子機器において余長収納部に光ケーブルの余長が収納されたトレイ部の構成を示す平面図である。
【図７】本発明にかかる電子機器における本体部の詳細構成を示す斜視図である。
【図８】本発明にかかる電子機器における本体部の他の詳細構成を示す斜視図である。
【符号の説明】
【００２２】
１  電子機器、２  本体部、２ａ  第１側面部、２ｂ  第２側面部、２ｃ  第３側面部、２ｄ  第４側面部、２ｅ  底面部、３  蓋部、４ａ  光ケーブル、４ｂ  光ケーブル、５  電源ケーブル、６  トレイ部、１１  第１通風口、１２  第２通風口、１３ａ  ケーブル導入孔、１４  同軸端子、１４ａ  同軸端子孔、１５ａ，１５ｂ，１５ｃ  取付片、１６  底面通風口、１７  放熱孔、１７ａ  放熱孔、１８  立設片、１９  枢軸、２０  第３通風口、２１  保持片、３０  シャーシ、３１  電子回路ユニット、３２  電源ユニット、４０  ケーブル挟着部、４１，４２  ドラム部、４３，４４  ガイド部、４５  光コネクタ、４６  保持部、４７  装着器、４８  コネクタ受部
【図１】
2005191210.tif 000003
【図２】
2005191210.tif 000004
【図３】
2005191210.tif 000005
【図４】
2005191210.tif 000006
【図５】
2005191210.tif 000007
【図６】
2005191210.tif 000008
【図７】
2005191210.tif 000009
【図８】
2005191210.tif 000010